(57)【要約】【課題】    従来の道路に設置してある標識や、看板、手摺、ガードレールなどの足もとのパイプは、地上１センチぐらいから錆びて、腐る物が大半であった。そのためパイプの補修は、錆びた部分を溶接して直すか、取り替えていた。  そこで、本発明のパイプの補修方法は、パイプ（１）が腐食した場合に、パイプ（１）の中に心棒（２）を入れ、間に接着剤（３）を満たして固める。【解決手段】    本発明のパイプの補修方法は、パイプ（１）が腐食した場合に、そのパイプ（１）の中に心棒（２）を入れ、パイプ（１）と心棒（２）の間に接着剤（３）を入れて固める。【選択図】  図３
2018017027.tif 000002
【特許請求の範囲】
【請求項１】
パイプ（１）が腐食した場合、
該パイプ（１）の中に心棒（２）を入れ、
該パイプ（１）の内面と、該心棒（２）の間に接着剤（３）が介在することを特徴とするパイプの補修方法。
【発明の詳細な説明】
【技術分野】
【０００１】
本発明は、道路に立っている標識の、足元のパイプが腐食しているとき、簡単に補修するパイプの補修方法に関するものである。
【背景技術】
【０００２】
従来の道路に設置してある標識や看板、手摺、ガードレールなどの足もとのパイプは、地上１センチぐらいから錆びて、腐る物が大半であった。そのためパイプの補修は、錆びた部分を溶接して直すか、パイプに補強材を取り付け、溶接をしていた。しかし、大部分は取り替えていた。そのためには、コンクリート切断機でコンクリートを切断し、コンクリートハンマーで辺りのコンクリートを破壊して、クレーンで足元に付いた基礎のコンクリートと共に撤去して、基礎の付いた代わりの標識を置き、周囲をコンクリートで固めていた。
【先行技術文献】
【特許文献】
【０００３】
【特許文献１】特開２０１６−４４４０７
【特許文献２】特開平１０−２９９１０２
【発明の概要】
【発明が解決しようとする課題】
【０００４】
従来の道路に設置してある標識や看板、手摺、ガードレールなどの足もとのパイプは、地上１センチぐらいから錆びて、腐る物が大半であった。そのため、パイプの補修は錆びた部分を溶接して直すか、パイプに補強材を取り付け、溶接をしていた。しかし、場所が悪く、地上１センチでは工具が入らず、溶接も下向きになるため理想の運棒ができない。さらに、錆の上には溶接することは不可能で、溶接する部分の、パイプの母材を綺麗に錆を落とさなければ、溶接はできなかった。そのため、錆を落とすのは面倒であり、そのため大部分は取り替えていたが、それでは費用が新設の時と同じ以上にかかり、また設置時間も長かった。
【０００５】
そこで、本発明のパイプの補修方法は、パイプ（１）が腐食した場合に、パイプ（１）の中に心棒（２）を入れ、間に接着剤（３）を入れて固めるパイプの補修方法を提供するものである。
【課題を解決するための手段】
【０００６】
上記目的を達成するために、本発明のパイプの補修方法は、パイプ（１）が腐食した場所に、そのパイプ（１）の中に心棒（２）を入れ、パイプ（１）の内面と心棒（２）の間には接着剤（３）を満たし、その接着剤（３）を乾燥させることで目的を達成した。
【発明の効果】
【０００７】
本発明のパイプの補修方法は、次のような効果がある。
（イ）まだ倒れていないパイプは、パイプの上部の穴から補修ができる。
（ロ）曲がりがあるパイプには、心棒の細い物を多数入れることで、心棒が自由に曲がる。
（ハ）倒れたパイプは、先に上側を補修して、後からパイプ下に取り付ける。
（ニ）その反対に、下側のパイプに心棒と補強棒を取り付け、後から上のパイプを圧入することができる。
（ホ）心棒の間に薄板を挟むことで、簡単に圧入ができる。
（ヘ）この方法だと、溶接する必要がないし、重機などが不要である。
（ト）中が無垢なので、新設したときよりは遥かに強度が強くなる。
（チ）折れないと困るときは、心棒に材木を使用する。
（リ）数十本の竹ひごの心棒は、弾力があるので取り付け易い。
（ヌ）接着剤の商品名シリコンシーラント（以下シリコンと言う）は、４０年前にくっ付けた物が異常ないので、この工事も４０年以上の耐久性がある。
【図面の簡単な説明】
【０００８】
【図１】図は、腐食部したパイプの断面図である。
【図２】図は、接着剤を入れたパイプの断面図である。
【図３】図は、心棒を入れたパイプの断面図である。
【図４】図は、曲がったパイプに心棒を挿入している断面図である。
【図５】図は、手摺りの横から挿入するところの正面図である。
【図６】図は、腐食部して２個に分かれた、パイプの下の断面図である。
【図７】図は、心棒を取り付けたパイプ上の断面図である。
【図８】図は、パイプ下にパイプ上の心棒を取り付けた断面図である。
【図９】図は、心棒と補強棒を取り付けたパイプ下の断面図である。
【図１０】図は、パイプ下の心棒と補強棒を、パイプ上に取り付けた断面図である。
【図１１】図は、パイプを水平に切った断面図である。
【図１２】図は、丸型の心棒を使用した断面図である。
【図１３】図は、丸型の心棒に、薄板を取り付けた断面図である。
【図１４】図は、手摺りの横のパイプが腐食した正面図である。
【図１５】図は、パイプに心棒を取り付ける途中の上から見た断面図である。
【図１６】図は、上から見た手摺りを補修した断面図である。
【発明を実施するための最良の形態】
【０００９】
本発明のパイプの補修方法は、看板や標識や手摺りなどは、パイプ（１）で地面（４）に設置されていた。そのパイプ（１）は、丸パイプ（１）や角パイプ（１）もある。そして、そのパイプ（１）が腐食するのは地面（４）から１センチぐらいのところで、雨が降ると地面（４）に当たり、跳ね返った水滴は地面（４）から５センチ以内に飛び散り、地面（４）の湿度が１センチ以内に作用し、結果、１センチのところが錆びて腐食することが多かった。
【００１０】
その場合に、パイプ（１）がまだ自力で立っている場合は、そのパイプ（１）の上部に取り付けてある雨よけのキャップを外し、その中にシリコンの接着剤（３）を入れる。その接着剤（３）のシリコンは、粘度が高いため置いただけでは付かない。それは表面には付いたように見えるが、原子間では原子１００個分以上の隙間が開き、その隙間は原子間引力が弱いため、直ぐに離れてしまう。
【００１１】
そこでパイプ（１）の内面に適量塗って、その後で接着剤（３）で満たしておく。そして、心棒（２）を入れ、パイプ（１）の腐食部（１ａ）の位置に、心棒（２）が補強するように、心棒（２）に接着剤（３）を塗る。そして、接着剤（３）を満たしたパイプ（１）の中に挿入する。また、接着剤（３）より奥に押し込むときは、角材などで押し込む。そのときパイプ（１）は乾燥させ、心棒（２）と接着剤（３）は約６０度以上１５０度以下に加熱しておくと、粘度が軟らかくなるので馴染み易くなる。
【００１２】
心棒（２）は、接着剤（３）を介してパイプ（１）があることで、パイプ（１）の腐食部（１ａ）が進んでも、中の心棒（２）は腐らないので、今までよりは長持ちする。また、心棒（２）は接着剤（３）のシリコンでコーティングされているので、錆びることもない。そして標識（１ｆ）の強度は、中に入れた心棒（２）次第である。
【００１３】
したがって、道路に立っている標識などは、強度が強すぎると弊害があり、自動車などが標識と衝突した場合に、標識が折れることで運転手の生命を守っていた。しかし、標識（１ｆ）が鉄の棒で、無垢でできていると、自動車が大破する恐れがある。そのときには、心棒（２）を木材や、パイプまたは等辺山形鋼（アングル）を使用する。木材はアメリカ杉など、ある程度は強度があるが、必要以上に力が加わると簡単に折れる物が良い。
【００１４】
標識（１ｆ）のパイプ（１）で、地面（４）から２５０センチ当たりでパイプ（１）が曲げて設置されている場合、心棒（２）が太すぎると曲がり部（１ｅ）を通過するのは困難になる。そこで、心棒（２）を多数の細い棒にし、曲がり部（１ｅ）に合わせて歪むものにすると、設置が可能となる。そして、接着剤（３）が固まると、一本の大きな心棒（２）と変らなくなる。
【００１５】
そのためには、心棒（２）の先を尖らして先端（２ａ）を作り、その先端（２ａ）は尖っているセンターをずらす。そのことで、パイプ（１）の中で、前に押し込んだ心棒（２）に当たって入らないときは、突付き棒（２ｃ）を回転させる。すると、先端（２ａ）は回り、前に押し込んだ心棒（２）の隙間に入り、先端（２ａ）が尖っていることで心棒（２）と心棒（２）の間に入る。
【００１６】
また心棒（２）の後部（２ｂ）には、雄ネジが具備されており、突付き棒（２ｃ）には雌ネジが具備されていて、そのネジを結合させることで所定の位置に心棒（２）を押し込むことができる。そして突付き棒（２ｃ）を逆に回してネジを外し、突付き棒（２ｃ）を取り出し、次の心棒（２）を押し込む。
【００１７】
パイプ（１）が腐食して、完全に分離している場合には、パイプ（１）の上のパイプ上（１ｃ）を、工場などの作業ができるところに持って帰り、そこで作業する。パイプ上（１ｃ）は標識などが付いているが、そのことは気にせず、パイプ上（１ｃ）の中に接着剤（３）のシリコンを入れ、そのパイプ上（１ｃ）の中に心棒（２）の約半分に接着剤（３）を塗ってから、パイプ上（１ｃ）の中に挿入する。
【００１８】
心棒（２）は、パイプ下（１ｂ）に差し込んだときに、パイプ（１）が真っ直ぐになるように取り付ける。そして、接着剤（３）が固まるまで置いておく。
【００１９】
パイプ下（１ｂ）は、ゴミや水が溜まっているので、そのゴミを取り除き、水はバーナーまたは投光器で６０℃以上に余熱すると、綺麗に乾き、また接着剤（３）のシリコンの付きも良い。そのパイプ下（１ｂ）に接着剤（３）を入れ、その上にパイプ上（１ｃ）の心棒（２）を挿入する。
【００２０】
挿入したパイプ（１）の腐食部（１ａ）の継ぎ手から、接着剤（３）が溢れ出すので、その部分はパイプ（１）の表面と同じ位になるように残し、後は取り除く。そして、標識などが曲がらないように補強する。そして接着剤（３）は、心棒（２）とパイプ（１）の間に介在して、弾力で支持している。そのため、パイプ（１）の外形が変形するぐらいの衝撃を受けても接着剤（３）には弾力があるので、元の状態に戻るところがパイプの補修方法の利点である。
【実施例１】
【００２１】
本発明のパイプの補修方法を、図面を参照して説明する。
実施例１はパイプ（１）が腐食しているが、自力で立っている場合を説明する。
図１は、パイプ（１）の断面図である。その図は、最高時速４０キロの道路標識で、柱はΦ６０のパイプ（１）でできているが、道路標識などの直接関係ないものは省いたので、柱のパイプの補修方法だけを説明する。このパイプ（１）は、地面（４）の上の腐食部（１ａ）は穴が開いていても、どうにか立っている場合である。そのパイプ（１）の、上の雨よけのキャップを外す。
【００２２】
そして、水などの水分がある接着剤（３）はくっ付かないので、水を拭き投光器で、６０度ぐらいで乾燥させる。しかし、水分が有るとくっ付く難いのは常識であるが、外側のパイプ（１）と接着剤（３）がくっ付いていなくても、その空間が接着剤（３）で支持されているのなら大差ないような気もするが、基本は綺麗にして、接着剤（３）を表面に塗ってから、後は接着剤（３）で充分に満たす。
【００２３】
図２は、パイプ（１）に接着剤（３）のシリコン          ２リットルを、パイプ（１）の上から入れたところで、普通の５００ｃｃのサイズで４本であり、その断面図である。パイプ（１）の上から接着剤（３）を入れるとき、腐食部（１ａ）に穴が開いていて、そこから接着剤（３）が漏れるときは、前もってテープで穴を潰しておく。
【００２４】
そのとき、スムーズに接着剤（３）が入らない場合は、棒などを使用して押し込む。そのとき、接着剤（３）をパイプ（１）の内面に塗るように、表面を何度も擦ることでパイプ（１）の内面と接着剤（３）が馴染む。そして長さ３メートルで５０センチ地下に埋設してあり、その中に接着剤（３）を２リットル入れると、８０センチの所まで接着剤（３）で満たされる。
【００２５】
図３は、心棒（２）を挿入したパイプ（１）の断面図である。パイプ（１）の上から中に鉄製の心棒（２）Φ４０の、長さ１メートルの物を挿入する。パイプ（１）の内径はΦ５４で、Φ４０の心棒（２）を挿入すると１２ミリの隙間があり、１２ミリの隙間を接着剤（３）のシリコンが介在している。接着剤（３）のシリコンは粘度が高いため、接着剤（３）の上に浮いてしまうので、棒を使用して心棒（２）を接着剤（３）に中に押し込む必要がある。そして、接着剤（３）の液面は、１メートル５０センチになる。そのとき、心棒（２）も約６０度から１５０度に加熱しておくと、接着剤（３）のシリコンが軟らかくなるので、馴染み易い。
【００２６】
そして道路標識では、強度が強すぎると自動車などが衝突した場合、折れなくて人命が奪われる恐れがある。そこで、心棒（２）に木材を使用すると、ある程度の力以上で衝突した場合は、折れるようになっている。つまり、この方法だと中に挿入する心棒（２）しだいで、新設したときより強くでき、新設したときよりも腐食部（１ａ）に強く、補修の時間が掛からないものができる。そして材木を入れることで、直ぐに折れる物もできる。また木材も、接着剤（３）のシリコンでコーティングされているので腐ることはない。したがって、この工事に用意するものは材料だけでよいので、重機を使用しない分、作業が簡便になる。
【実施例２】
【００２７】
実施例２は、パイプ（１）が曲がっている場合を説明する。
図４は、曲がった標識（１ｆ）のパイプ（１）の断面図である。標識のパイプ（１）Φ６０が、曲がって設置されている場合、Φ４０の心棒（２）を上から入れることは、太すぎるので曲がり部（１ｅ）を通過するのは困難になる。そこで、心棒（２）をΦ１０の多数の丸棒で、曲がり部（１ｅ）に一本ずつ中に挿入すると、Φ１０はΦ４０に比べ簡単に曲がる。そして、パイプ（１）の底には、先に挿入した２本がある。
【００２８】
その心棒（２）は、先端（２ａ）が尖っており、その尖っている先は中心より少し外側にある。そのことで、障害物に当たった場合、突付き棒（２ｃ）を回すことで障害物の間に入る。間に入った先端（２ａ）は押し込むことで、先に挿入した心棒（２）は端に除け、所定した位置まで押し込む。そのことで、多数の心棒（２）を押し込むことができる。また後部（２ｂ）には、ネジが切られており、その後部（２ｂ）の雄ネジΦ６に、雌ネジΦ６の付いた突付き棒（２ｃ）を捻じ込んで、心棒（２）を所定の位置に押し込む。
【００２９】
所定の位置に押し込んだ心棒（２）は、突付き棒（２ｃ）を逆に回すと後部（２ｂ）雌ネジと雄ネジの結合が離れ、突付き棒（２ｃ）をパイプ（１）から取り出し、次の心棒（２）を約１５本入れる。そして、接着剤（３）が固まると、一本の心棒（２）と変らなくなる。また、竹を心棒（２）に入れる方法もある。その竹は、横幅３センチの、厚み５ミリの、長さ１メートルの物を１０本押し込むと、心棒（２）の役目を果たす。
【実施例３】
【００３０】
実施例３は、手摺りの足元のパイプ（１）が腐食場合を説明する。
図５はΦ３２の手摺りで、正面から見たところの正面図で、一部断面図である。その手摺りは縄張りの役目を果たしており、とくに人が海や川または池など、人が入れないように設置してある。その中で、とくに海辺は錆びるものが多数あるが、その中で錆びて腐食するものもある。その手摺りなどで、何所からも心棒（２）を挿入することができない場合には、パイプ（１）の側面にΦ１０の穴を開け、その穴からΦ８の心棒（２）を７本入れる。その穴（１ｊ）を開ける場所は分かり難いので、右側の手摺りに描いてある。
【００３１】
その穴（１ｊ）は、Φ１０のドリルで穴（１ｊ）を開け、そのドリルを捻るように手元を上に上げると、穴（１ｊ）の上下は２０ミリになる。そこから接着剤（３）を入れ、心棒（２）を穴（１ｊ）から１本入れて、２本目を入れる途中の図である。その心棒（２）は挿入し易いように、先端（２ａ）を尖らしてある。そして、内径Φ２６のパイプ（１）に、心棒（２）を７本挿入する。そして、その穴（１ｊ）を接着剤（３）で潰し、その上を結束具（５）で止めて見えなくしておく。また、竹ひごを使用する場合は、Φ３の物を約５本入れて固める。そのときは、Φ６の穴（１ｊ）で充分である。
【実施例４】
【００３２】
実施例４は、倒れた標識（１ｆ）を直す場合を説明する。
図６は、標識が折れたパイプ下（１ｂ）の断面図である。その図は、地面（４）があり、約１センチのところから錆びて腐食し、その腐食部（１ａ）のためパイプ下（１ｂ）だけが残ったものである。したがって、上部のパイプ上（１ｃ）は取り外して、工場などで以下の細工をする。
【００３３】
図７は、取り外したパイプ上（１ｃ）に接着剤（３）を介して心棒（２）を取り付けた断面図である。パイプ上（１ｃ）を作業台に載せ、パイプ上（１ｃ）の中に接着剤（３）を塗り、さらに心棒（２）の挿入する方に接着剤（３）を塗り、パイプ上（１ｃ）に心棒（２）を半分残して挿入し、さらに接着剤（３）で満たす。
【００３４】
挿入した心棒（２）は、パイプ下（１ｂ）に継ぎ足したとき、真っ直ぐになるように取り付ける。図７の心棒（２）は多少斜めに付いているが、この程度が最大の歪みであり、真っ直ぐに取り付けた方が良いが、真っ直ぐに図面を書いたのでは、心棒（２）の意味が分かり難いので、わざと左に倒れている。
【００３５】
そして、一日間放置すると接着剤（３）は固まり、心棒（２）は動かなくなり固定される。この接着剤（３）のシリコン    は、固まるときに動かすと亀裂が入り、簡単に心棒（２）が取れる恐れがあるため、半乾きのときに注意する。
【００３６】
図８は、パイプ下（１ｂ）にパイプ上（１ｃ）を取り付けた断面図である。パイプ下（１ｂ）に接着剤（３）のシリコン    を入れ、その中にパイプ上（１ｃ）の心棒（２）をパイプ下（１ｂ）の中に挿入する。すると、余分な接着剤（３）が腐食部（１ａ）から溢れ出し、溢れ出した接着剤（３）の余分な分を拭き取り、標識が倒れないように補強する。
【００３７】
二日以上経って、接着剤（３）が乾いたら、補強を外して工事が完成する。このとき、補修工事が完成しただけでなく補修したところは、今までのところより強くなっていることも、心棒（２）が何を使用するかに掛かっている。したがって、新設のときは工事費のことを考えてパイプ（１）を使用したが、修理のときは個数が限られているので、十分な材料を使用しても、人件費と比べれば安いものである。
【実施例５】
【００３８】
実施例５は、倒れたパイプ（１）の心棒（２）を圧入する場合を説明する。
図９は、パイプ下（１ｂ）の断面図である。パイプ下（１ｂ）の内面に接着剤（３）を塗り、それから接着剤（３）で満たし、心棒（２）に接着剤（３）を塗ってから半分中に入れる。そしてパイプ下（１ｂ）の内面と、心棒（２）の間には隙間ができるため、補強棒（２ｄ）を圧入して隙間をなくする。補強棒（２ｄ）は、圧入し易いように先を削っている。その補強棒（２ｄ）は、丸ならば２本で、角ならば１本でも良い。
【００３９】
図１０は、パイプ（１）を繋いだところである。パイプ上（１ｃ）を乾燥させ、パイプ上（１ｃ）の内径に適量の接着剤（３）を塗る。それから接着剤（３）で満たし、パイプ下（１ｂ）の心棒（２）を挿入して、さらに補強棒（２ｄ）を圧入する。そのとき、Φ６０のパイプ（１）は、約０．５ミリ変形してΦ６０．５になり、直径がΦ５９．５になるところもある。
【００４０】
余った接着剤（３）は腐食部（１ａ）から溢れだし、余分なものは取り除き、腐食部（１ａ）の腐食した部分を接着剤（３）で肉付けをする。この方法では、その日の内に作業が終わり、乾燥を待つ必要がない。
【００４１】
図１１は、水平に切った４０ミリの角材の心棒（２）と、厚み１５ミリの補強棒（２ｄ）である。四角の心棒（２）と補強棒（２ｄ）は、パイプ（１）の外周を変形させ、圧入している。実際は、０．１歪むだけであるが、図面では誇張して描いている。
【００４２】
図１２は、水平に切った丸材の心棒（２）と、補強棒（２ｄ）が二本の断面図である。Φ４０の丸角の心棒（２）と、Φ１８の補強棒（２ｄ）は、パイプ（１）の外周を変形させ、圧入している。実際は、０．１歪むだけであるが、図面では誇張して描いている。
【００４３】
図１３は、丸型の心棒（２）に薄板（２ｅ）を取り付けた断面図である。薄板（２ｅ）の厚みは３ミリのベニヤ板で、Φ５０の心棒（２）の間を曲がることで、パイプ（１）の内径と心棒（２）の間に介在し、薄板（２ｅ）を曲げる力が圧入である。そのため、心棒（２）の側面と、薄板（２ｅ）の側面の２点が接触し、３点の接触で安定する。
【実施例６】
【００４４】
実施例６は、ベランダの手摺りの補修方法を説明する。
図１４は、ベランダの手摺りの、横のパイプ（１）の正面図である。柱（１ｆ）があり、柱（１ｆ）の下が錆びて補修するのは説明したが、横のパイプ（１）の補修方法を説明する。そのパイプ（１）が、まだくっ付いていても、この場合は切断する必要がある。そしてパイプ右（１ｇ）とパイプ左（１ｈ）とに分け、この場合パイプ左（１ｈ）の外側にΦ４０のパイプを被せる。
【００４５】
図１５は、Φ４０のパイプを被せ、パイプ左（１ｈ）とパイプ右（１ｇ）を図のように分けたところである。その他、手で図のように捻れるものであれば、それで良い。そして、パイプ右（１ｇ）の中に接着剤（３）を入れ、その中に心棒（２）を入れ、その中に心棒（２）を挿入する。そして、パイプ左（１ｈ）にも接着剤（３）を入れ、パイプ（１）を真っ直ぐにして、左右のパイプ（１）の隙間から心棒（２）を左に移動する。
【００４６】
図１６は、移動した心棒（２）を表した断面図である。その図は、心棒（２）をパイプ（１）の左の方向に移動さし、そのとき余った接着剤（３）は腐食部（１ａ）から溢れ出る。そして、溢れた接着剤（３）を腐食した部分に塗る。
【００４７】
しかし、中に挿入する心棒（２）を多数の竹ひごにすると、パイプ右（１ｇ）に竹ひごを通す穴（１ｊ）を開けると、竹ひごが入ることで心棒（２）の役目をし、パイプ右（１ｇ）とパイプ上（１ｃ）を開ける作業をする必要がない。この竹ひごは、縦に繊維が入っているため弾力に富み、それを接着剤（３）で固めることで、一個の単体になる。したがって作業は、曲げても折れないので、比較的に小さな穴（１ｊ）で簡単に挿入できる。
【実施例７】
【００４８】
符号の詳細な説明。
パイプ（１）は、看板や標識または手摺りなどに使用されているパイプ（１）で、そのパイプ（１）は丸パイプや角パイプがある。
腐食部（１ａ）は、通常道路の際が錆びていて、その錆がもとで腐食した部分を言う。
パイプ上（１ｃ）は、図７、図８、図１０に描いてあり、パイプ（１）が腐食部（１ａ）より折れて二本になった場合、パイプ（１）の上の部分を指す。
パイプ下（１ｂ）は、図５、図８、図９、図１０に描いてあり、パイプ（１）が腐食部（１ａ）より折れて二本になった場合、パイプ（１）の下の部分を指す。したがって、パイプ下（１ｂ）は、ほとんどが地面（４）の下にある。
曲がり部（１ｅ）は図４に描いてあり、道路の標識などで、かるくセンターをずらしている物がある。そのパイプ（１）は倒れていないものであり、倒れた後は実施例４と実施例５のようにする。
【００４９】
標識（１ｆ）は図４に描いてあり、道路に設置してある標識（１ｆ）で、歩道（４ａ）に設置してある。
パイプ右（１ｇ）は図１１、図１２、図１３に描いてあり、ベランダなどのパイプ（１）が錆びて、間が無い場合のパイプ（１）の右側である。
パイプ左（１ｈ）図１１、図１２、図１３に描いてあり、ベランダなどのパイプ（１）が錆びて、間が無い場合のパイプ（１）の左側である。
飾り棒（１ｉ）は図５、図１１、図１２、図１３に描いてあり、ベランダや道路の縄張りの代わりに設置されている、手摺りの格子または角度をつけた棒で、人が通れないぐらいになっている。
【００５０】
心棒（２）は、鉄筋が良いが、道路などの強度を落とす必要があるときには木材を使用する。また、竹ひごを多数使用すると、設置が簡単にできる。
先端（２ａ）は図４に描いてあり、後から挿入する心棒（２）がスムーズの入るように尖らしてある。その尖った先は、真ん中より端にずれており、突付き棒（２ｃ）を回すことで心棒（２）が回り、心棒（２）と心棒（２）の隙間を探して、そこから挿入する。
後部（２ｂ）は図４に描いてあり、雄ネジが取り付けてあり、突付き棒（２ｃ）の雌ネジと合体して心棒（２）を所定の位置に押し込み、ネジを外すことで分離する。
突付き棒（２ｃ）は図４に描いてあり、心棒（２）を所定の位置に送るための物で、先端には雌ネジが付いている。
補強棒（２ｄ）は図９、図１０に描いてあり、心棒（２）の隙間をなくすることで、外からの補強を付ける必要がない。その補強棒（２ｄ）は、丸の形なら補強棒（２ｄ）は２本で心棒（２）が１本、角ならば補強棒（２ｄ）が１本で良い。
接着剤（３）は、シリコンが理想的で、ゴムの成分は振動に強く、劣化は４０年前に使用したシリコンが持っているので信頼性がある。このシリコンは粘度が高いため、接着するとき上に乗せるだけではくっ付かず、最初に適量を手で薄く塗り、その後接着剤（３）で満たす。それを最初から満たすと、接着剤（３）とパイプ（１）の間には隙間ができ、その隙間は接着剤（３）がくっ付く原理の、原子間引力が働かないので直ぐに剥がれる。そのシリコンは、中の心棒（２）と外側の腐食したパイプ（１）の間を弾力で介在しているので、中の心棒（２）が折れない限りはパイプ（１）が折れることはない。また、シリコンは塗料の役目を果たす。
【００５１】
地面（４）は、道路である。
歩道（４ａ）は図４の中で、地面（４）を歩道（４ａ）と車道（４ｂ）に分けて描いてあり、図４の標識（１ｆ）は歩道（４ａ）に立ててあり、２５０センチのところから歩道（４ａ）の方に曲げて、自動車の通行を邪魔しないようになっている。
車道（４ｂ）は、図４の中で地面（４）を歩道（４ａ）と車道（４ｂ）に分けて描いている。
結束具（５）は図５に描いてあり、手摺りと手摺りを繋ぐもので、中央にはボルトが有り、ボルトを締めることで、隣との一体化を果たしている。
【産業上の利用可能性】
【００５２】
傘の柄が錆びて折れた場合に、パイプ（１）の中に接着剤（３）を塗り、その後接着剤（３）で満たし、その中に心棒（２）の竹ひごを数本入れる。そして、パイプ（１）を繋ぎ、接着剤（３）のシリコンを乾燥させる。竹は、鉄の心棒（２）より軽いが、それでも多少重たくなる。
【００５３】
新設の場合に、海岸の近くなどの明らかに錆びそうな場所は、腐食する部分を予想して心棒（２）を入れ、接着剤（３）で満たす方法もある。この方法だと、新設の材料は一定で、腐食する部分を予想して、工場で心棒（２）と接着剤（３）をパイプ（１）の中に入れるため、簡単にできる。
【符号の説明】
【００５４】
１  パイプ        １ａ  腐食部     １ｂ  パイプ下    １ｃ  パイプ上
１ｅ  曲がり部      １ｆ  柱        １ｇ  パイプ右    １ｈ  パイプ左
１ｉ  飾り棒        １ｊ  穴
２  心棒          ２ａ  先端        ２ｂ  後部        ２ｃ  突付き棒
２ｄ  補強棒      ２ｅ  薄板
３  接着剤
４  地面          ４ａ  歩道        ４ｂ  車道
５  結束具
【図１】
2018017027.tif 000003
【図２】
2018017027.tif 000004
【図３】
2018017027.tif 000005
【図４】
2018017027.tif 000006
【図５】
2018017027.tif 000007
【図６】
2018017027.tif 000008
【図７】
2018017027.tif 000009
【図８】
2018017027.tif 000010
【図９】
2018017027.tif 000011
【図１０】
2018017027.tif 000012
【図１１】
2018017027.tif 000013
【図１２】
2018017027.tif 000014
【図１３】
2018017027.tif 000015
【図１４】
2018017027.tif 000016
【図１５】
2018017027.tif 000017
【図１６】
2018017027.tif 000018
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
パイプ（１）が腐食した場合、
該パイプ（１）の中に軟性の接着剤（３）を入れ、後から心棒（２）を挿入して固まると、
該パイプ（１）の内面と、該心棒（２）の間に該接着剤（３）が介在し、
該接着剤（３）の弾力によって、外部からの衝撃に耐えることを特徴とするパイプの補修方法。
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
パイプ（１）が腐食した場合、
該パイプ（１）の内面に、接着剤（３）を薄く塗り、
その後、該パイプ（１）の中を該接着剤（３）で満たし、
心棒（２）は該接着剤（３）を塗り、該心棒（２）を該パイプ（１）の中に挿入して固まると、
該パイプ（１）の内面と、該心棒（２）の間に該接着剤（３）が介在し、
該接着剤（３）の弾力によって、外部からの衝撃に耐えることを特徴とするパイプの補修方法。